(57)【要約】【課題】配設する磁石の数を最小限にして、ヘアバンド全体にわたり均等に磁力線の効果を有する軽量のコイル型磁気健康ヘアバンドを提供する。【解決手段】導体の金属線を包含するコイルとコイルの両端にそれぞれ着設された２の磁石により構成される。  機能的には、本ヘアバンドは、電磁誘導によって発生する磁力線が、頭部の複数のツボを刺激して、血行促進、爽快感付与、頭痛緩和等の効果をもたらすことを特徴とする。具体的には、前記２の磁石とコイルとの関係により生ずる電磁誘導に伴い、コイル内に誘導電流が発生する。該誘導電流はコイル周辺に磁場を創出させ、該磁場内の磁力線が頭部に散在する複数のツボを刺激する。【選択図】図２
2017035288.tif 000002
【特許請求の範囲】
【請求項１】
コイル型のヘアバンドであって、
導体の金属線を包含するコイルと、
前記コイルの両端にそれぞれ着設された２の磁石と、
を有することを特徴とするヘアバンド。
【発明の詳細な説明】
【技術分野】
【０００１】
本発明は、磁気の効果により健康を増進するコイル型のヘアバンドに関する。
【背景技術】
【０００２】
永久磁石の力で血行を改善したり疾病を予防したりする薬剤として磁石入り絆創膏が広く知られている。また、磁性体を有する健康器具兼用の装身具として、磁気ネックレス、磁気ブレスレッド等が販売されている。
【０００３】
一方で、理容目的で前髪をおさえたり、髪をまとめたりする頭部用装身具としては、従来カチューシャと呼ばれるプラスチック板製のヘアバンドが一般的であったが、近年は、伸縮弾性を有するコイル体のものが多く使用されている。これは、従来のプラスチック板製のヘアバンドと比較して、コイルばねが髪を押さえるための復元弾性力を長期にわたって維持することができるうえ、毛髪が自然の立体状態を維持してコイルを通過するので、ヘアスタイルに立体感を持たせることができるためである。
【先行技術文献】
【特許文献】
【０００４】
【特許文献１】実用新案登録第３０２３９５４号公報
【特許文献２】特開平１０−１５０８４号公報
【発明の概要】
【発明が解決しようとする課題】
【０００５】
上述したように、磁石を組み込んで、審美性と健康の両方を実現しようとする健康器具兼用の装身具として、磁気ブレスレッド、磁気ネックレス等の健康志向商品が販売されている。一方で、ヘアバンド等、頭部装着用の装身具に磁力の効果を組み込んだ商品は未だ市販されていない。しかしながら、頭部には神経痛、頭痛、肩こり等に関係あるツボが散在しており、頭部装着用の装身具により、これらのツボに磁力線の効果を施し、血液・リンパの流れをよくすることができれば、肩こり等不快な症状の根本的な解決につながる。
【０００６】
上述の課題を踏まえ、特許文献１と２には、弾性を有するＵ字状のフレームの両端及び端間に複数の磁性体が配設さされたヘアバンドの発明が開示されている。これらはいずれも、ヘアバンドに配設された磁性体から発せられる磁力線の作用により、血行促進、爽快感付与、頭痛緩和等の効果を狙うものである。しかしながら、一定の刺激効果を有するガウス数の高い磁気を注入した磁性体は重い鉄製のものである必要がある。このため、配設する磁性体の数を多くすれば重くなりすぎてヘアバンドとしての装着感が落ち、数を減らせば刺激効果が減少するといったジレンマが問題として残っており、前記いずれの特許文献の先行発明においても、この問題は解決されていない。
【０００７】
また、前記先行発明のように、バンド上に一定間隔ごとに複数の磁石を配設する方法では、構造上、カチュ−シャのような板状のヘアバンドしか対応できず、現在多く使用されている軽量のコイル型のヘアバンドを磁気バンドとすることはできない。
【０００８】
上述の問題に鑑み、本発明は、配設する磁石の数を最小限にして、ヘアバンド全体にわたり均等に磁力線の効果を有する軽量のコイル型磁気健康ヘアバンドを提供することを課題とする。
【課題を解決するための手段】
【０００９】
上記課題を解決するために、本発明に係るヘアバンドは、導体の金属線を包含するコイルとコイルの両端にそれぞれ着設された２の磁石により構成される。
【００１０】
機能的には、本ヘアバンドは電磁誘導がもたらす磁力が、頭部の複数のツボを刺激して、血行促進、爽快感付与、頭痛緩和等の効果をもたらすことを特徴とする。具体的には、前記２の磁石とコイルとの関係により生ずる電磁誘導に伴い、コイル内に誘導電流が発生する。該誘導電流はコイル周辺に磁場を創出させ、該磁場内の磁力線が頭部に散在する複数のツボを刺激する。
【発明の効果】
【００１１】
本発明に係るコイル型のヘアバンドを装着することにより、頭部の血行が良好になり、頭皮のむくみ、たるみ、目の疲れが改善する。
【００１２】
本ヘアバンド着接面周辺に散在する複数のツボが磁力線の刺激を受け、神経痛、頭痛、肩こり、不眠症等が改善される。
【００１３】
現在多く市販されているコイル式のヘアバンドを磁気化することが可能となったため、これによる市場の拡大が期待できる。
【図面の簡単な説明】
【００１４】
【図１】磁石を着設する前の本コイル型ヘアバンドの斜視図である。
【図２】本コイル型ヘアバンドの機能を示す説明図である。
【図３】本コイル型ヘアバンドのコイルの断面図である。
【図４】本コイル型ヘアバンドの磁力線が刺激する頭のツボを示す説明図である。
【発明を実施するための形態】
【００１５】
以下、本発明の実施形態について図を用いて説明する。
【００１６】
図１に示すように、本発明に係るコイル型ヘアバンドは、伸縮弾性を有するコイル４とコイルの両端に着設された磁石１及び磁石２により構成される。本実施形態においては、コイル４は図３に示すように、銅７に錫メッキ８を施したものを使用しているが、より自然な伸縮弾性を求める場合には、市販の樹脂製コイルバンドの中軸に銅線などの導体を通す構成としてもよい。
【００１７】
磁石１及び磁石２はプラスチック製の磁石ケース３に着脱自在に着設されている。これは、健康増進効果を考えずに審美性のみを目的として使用する場合には、磁石を取り出して軽量にすることができる構成としたものであるが、健康増進効果を強調して商品化する場合には、ケース３を密閉構造として磁石を着脱不可としてもよい。
【００１８】
図２は、本コイル型ヘアバンドの機能を示す説明図ある。図が示すように、コイル４と磁石１・２の関係から生じる電磁誘導により、コイル４内を磁石のＮ極に向かって誘導電流５が流れる。これに伴い、誘導電流５が流れるコイル４の周辺には磁場が発生し、磁力線６が放射される。この磁力線６が前頭部から耳元にかけて散在する複数のツボを刺激する。
【００１９】
図４に示すように、本ヘアバンドが装着される前頭部から耳元にかけては、神庭、曲差等のツボＡ−Ｈが存在する。磁力線６がツボＡ−Ｈを刺激することにより、神経痛、頭痛、肩こり、不眠症等が改善される。
【００２０】
以上、本発明の有する特徴及び優れた点を上記実施形態に記載したが、本発明は、本発明の原理の範囲内で、本願の特許請求の範囲で使用されている言葉を広く一般的な意味にまで広げて実施することが可能である。特に、コイルの材質及び構造については、導体の金属線を包含することを条件に、装身具としての審美性や素材の伸縮弾性を考慮しつつ、様々なものを使用することが可能である。また、磁石の形状及び設置方法についても上記実施形態以外に多くのものが考えられ、それらについて本実施形態と異なる形態又は方法による実施は、本発明の技術的範囲に含まれるものと解する。
【符号の説明】
【００２１】
１    磁石
２    磁石
３    磁石ケース
４    コイル
５    誘導電流
６    磁力
７    銅
８    錫メッキ
＜頭のツボ（図４）＞
Ａ    神庭（不眠症）
Ｂ    曲差（頭痛、神経痛）
Ｃ    がん厭（編頭痛、めまい、耳鳴り）
Ｄ    和りょう（目の疲れ、歯痛、耳鳴り）
Ｅ    かん骨（頭痛、肩凝り）
Ｆ    天柱（うなじ・肩の凝り）
Ｇ    あ門（後頭部痛、不眠症）
Ｈ    風池（血行、肩凝り、背中の痛み、頭痛））
【図１】
2017035288.tif 000003
【図２】
2017035288.tif 000004
【図３】
2017035288.tif 000005
【図４】
2017035288.tif 000006